(57)【要約】      （修正有）【課題】従来の安全フックに用いられている外れ止めのための複雑な機構と複数の部品を廃して、フックの形状と重量バランスの組合せによってフック本体に外れ止め機能を持たせ、取扱い操作に手間がかからず、かつ故障や操作間違いの起きない安全フックを提供する。【解決手段】安全フック本体１の形を、同心円から成る半円形の溝で係止物を捉える形状とし、溝の幅と長さ及びロープ連結用穴の配置位置と角度等による重量バランスとの組合せにより、安全フック本体１に外れ止め機能を持たせたものである。【選択図】図１
0003179982.tif 000002
【実用新案登録請求の範囲】
【請求項１】
係止物を同心円から成る半円形の溝で捉える形状を特徴とするフック構造。
【請求項２】
係止物を捉える半円形の溝の下端に、溝からは独立させてロープを連結させるための穴を設けた事を特徴とする請求項１記載のフック構造。
【請求項３】
係止物を捉え込むための開口部を、半円形の溝の下端寄りに設ける事を特徴とする請求項１記載のフック構造。
【考案の詳細な説明】
【技術分野】
【０００１】
本考案は、電柱、鋼管柱又は鉄塔等に昇降する際に、作業者の墜落を防止する安全フックに関するものである。
【背景技術】
【０００２】
従来、電柱、鋼管柱又は鉄塔等に昇降する際は、安全帯の親ロープを用いる回し掛けにより昇降し、昇降の途中に障害物がある場合は、親ロープとは別の補助ロープと安全フック等を用いて安全確保し、回し掛けを一旦解除して障害物を乗り越えた後掛け替えを行う。
【先行技術文献】
【特許文献】
【０００３】
【特許文献１】実用新案公開平７−２８５６９
【特許文献２】特許公開２００７−１１７５７３
【考案の概要】
【考案が解決しようとする課題】
【０００４】
電柱、鋼管柱又は鉄塔等への昇降時における障害物は、電線、ケーブル、支線、看板、鉄塔部材等々数多くあり、その都度乗り越えるための操作として、回し掛けの解除と掛け替え、補助ロープの使用及び安全フックにおいてはロックレバーの解除とフックの外れ止め機構の開閉等、複数の操作を併せて行わなければならず、操作に手間がかかるとともに、操作間違いによる墜落事故の危険がある。
【０００５】
また、従来の安全フックは、外れ止めのためのロックレバーや開閉レバー等の複雑な機構と複数の部品で構成されていることから、可動部品等の故障により安全を損なうおそれがあるとともに、複数の操作に手間がかかることから使用を省略する場合も生じる、本考案はこの安全フックに関する問題点を解決するためになされたものである。
【課題を解決するための手段】
【０００６】
本考案フックは課題を解決するために、従来の安全フックにおけるロックレバー等の機械的な外れ止め機構を廃して、フックの形状と重量バランスの組合せによって係止物からの外れ止め機能を持たせようとするものである。
【０００７】
本考案フックの形状と動作形態を説明する、形状は（図２（A））、係止物を同心円から成る半円形の溝で捉える形状とし、かつ、溝の先端部の中心（５）と溝の同心円の中心（８）とロープ穴の中心（４）との３点を結ぶ角度（７）が１８０度を超える形状とした、これにより、通常垂直昇降する際に（図３（A）、（B））係止物に引っ掛けた状態では、溝の先端部（５）で係止物を捉える、次にロープ（９）が垂直にまで引き上げられた状態となっても係止物は溝の先端部（５）で捉えたまま維持される、さらにこの状態でロープ（９）の緊張が解かれて解放されると、重量バランスにより最初に引っ掛けた状態に復帰する。
【０００８】
次に、通常の使用状態ではあり得ないが、何らかの弾みで垂直を超えて引き上げられた場合の動作形態を説明する（図４（A）、（B））、垂直を超える角度で緊張が解かれ解放された場合、重量バランスで最初に引っ掛けた状態に戻れる範囲を超えていた場合は、溝の底部（６）へ滑り込む、この際に、溝の底部（６）が係止物を捉えるために充分な深さを持つ形状とし、また、溝の底部（６）へ滑り込む際に開口部（３）から外れ出ないようにするため、開口部（３）の位置を溝部（２）の中心を外して溝の底部（６）寄りに設けることで、滑り込む際に開口部（３）に触れることなく収まり、外れ止めの機能を実現させている。
【０００９】
また、本考案フックをステップボルトで使用する際に、ステップボルトの頭部（１１）側からの抜け落ちを防止するため、溝部（２）と開口部（３）の幅はステップボルト頭部（１１）の直径より小さくしている。
【考案の効果】
【００１０】
ロックレバーや開閉レバー等の操作の必要がなくなり、引っ掛けるだけの簡単な操作で使えるため、昇降途中の障害物を乗り越える際の操作も簡略化できる等、操作に手間がかからず作業の迅速化が図れる。
【００１１】
ロックレバーや開閉レバー等で使われていた可動部品等がないため、故障することが無く、単純な構造のため製造する上で大幅なコストダウンが図れる。
【００１２】
高所で作業する際に安全帯の親ロープで安全確保を行うが、本考案フックを併用して掛けておくことで複数の安全確保ができ、より確実な墜落防止効果が提供できる。
【図面の簡単な説明】
【００１３】
【図１】本考案フックをステップボルトで使用する際の斜視図である。
【図２】（Ａ）（Ｂ）（Ｃ）  は、それぞれ本考案フックの正面図、ａ１−ａ２断面図、ｂ１−ｂ２断面図である。
【図３】（Ａ）（Ｂ）  は、それぞれ本考案フックの使用時の動作図で、引っ掛けた状態と垂直に引き上げた状態を示したものである。
【図４】（Ａ）（Ｂ）  は、それぞれ本考案フックが垂直を超えて引き上げられた場合の動作図で、垂直を超えて引き上げた状態と緊張を解放されて溝の底部に滑り込んだ状態を示したものである。
【図５】（Ａ）（Ｂ）（Ｃ）  は、それぞれ本考案フックを使用する際の解説図で、電柱、鋼管柱、垂直梯子を示したものである。
【考案を実施するための形態】
【００１４】
本考案フックは、従来の安全フックにおけるロックレバー等の機械的な外れ止め機構を廃して、フックの形状と重量バランスの組合せによってフック本体に外れ止め機能を持たせたことを特徴とするものである。
【００１５】
本考案フックの外れ止め機能を構成する第1は、形状を（図２（A））、係止物を同心円から成る半円形の溝で捉える形状とし、かつ、溝の先端部の中心（５）と溝の同心円の中心（８）とロープ穴の中心（４）との３点を結ぶ角度（７）が１８０度を超える形状とした、これにより、通常垂直昇降する際に（図３（A）、（B））係止物に引っ掛けた状態では、溝の先端部（５）で係止物を捉える、次にロープ（９）が垂直にまで引き上げられた状態となっても係止物は溝の先端部（５）で捉えたまま維持される、さらにこの状態でロープ（９）の緊張が解かれて解放されると、重量バランスにより最初に引っ掛けた状態に復帰する。
【００１６】
次に、外れ止め機能を構成する第2は通常の使用範囲を超えた動作時にも外れ止め機能を持たせることにありその動作形態を説明する（図４（A）、（B））、垂直を超える角度まで引き上げられた場合、ロープ（９）が引かれている状態では溝の先端部（５）で係止物を捉え続けるが、ここで緊張が解かれ解放された場合は、重量バランスで最初に引っ掛けた状態に戻れる範囲を超えていた場合は、同じく重量バランスにより溝の底部（６）へ滑り込むが、この際に、溝の底部（６）が係止物を捉えるために充分な深さを持つ形状とし、また、溝の底部（６）へ滑り込む際に開口部（３）から外れ出ないようにするため、開口部（３）の位置を溝部（２）の中心から外して溝の底部（６）寄りに設けることで、滑り込む際に開口部（３）に触れることなく溝の底部（６）に滑り込める形状にし、不測の動作状態における外れ止めの機能を実現させている。
【００１７】
また次に第３として、ステップボルトで本考案フックを使用する際、ステップボルトの頭部（１１）側からの抜け落ちを防止するため、溝部（２）と開口部（３）の幅をステップボルト頭部（１１）の直径より小さくすることで外れ止め機能を実現させている。
【実施例】
【００１８】
本考案フックを使用する形態を説明するが、本考案を実施するにあたり、ここでの説明や手順だけに限定されるものでない。
【００１９】
本考案フックは作業者の安全帯に連結して使用し、開口部（３）を手前に向けて係止物に引っ掛けることで安全支点を確保する。
【００２０】
回し掛けによる昇降途中の障害物を乗り越える際には、本考案フックを乗り越えた先の係止物に引っ掛けて安全支点を確保する。
【００２１】
回し掛け昇降による安全確保が困難な鋼管柱や鉄塔の垂直梯子（図５（B）、（C））の場合には、本考案フック２個を１組として使用し、昇降時の左右の手の動作に合わせて、次に捉えるステップに本考案フックを引っ掛けてから同じステップを手で捉える、という動作をステップの１段毎に左右交互に繰り返しながら昇降することで、左右どちらかのフックで常に係止状態が保たれる、また、昇降途中の障害物を乗り越える際も、左右の片方ずつ乗り越えればよいため、特別の操作の必要はない。
【産業上の利用可能性】
【００２２】
電柱、鋼管柱又は鉄塔等の昇降設備において、回し掛けにより昇降する場合、又は、回し掛けによる昇降が困難な場合のいずれにおいても、本考案フックは使用形態が簡単で、確実な安全確保が可能なため、有効利用できる。
【００２３】
本考案フックは製造する上で構造が単純なため大幅なコストダウンを図る事ができ、普及を促進できる。
【符号の説明】
【００２４】
１  フック本体
２  溝部
３  開口部
４  ロープ用穴
５  溝の先端部
６  溝の底部
７  溝の先端部中心と同心円の中心とロープ用穴の中心の３点を結ぶ角度
８  同心円の中心
９  ロープ
１０  ステップボルト
１１  ステップボルト頭部
１２  電柱
１３  鋼管柱
１４  ステップ（コの字形丸棒）
１５  梯子親桁
１６  ステップ（丸棒）
ａ１−ａ２  フック本体の溝部断面
ｂ１−ｂ２  フック本体のロープ用穴部断面
【図１】
0003179982.tif 000003
【図２】
0003179982.tif 000004
【図３】
0003179982.tif 000005
【図４】
0003179982.tif 000006
【図５】
0003179982.tif 000007